(57)【要約】【課題】光学センサ部の出力特性の補正精度を向上させる。【解決手段】媒体鑑別装置２は、媒体が搬送される搬送路３と、媒体の画像情報を取得する光学センサ部１０と、を備え、光学センサ部は、光を照射する発光部２１と、発光部から照射された光を受光する受光部２２と、発光部から照射された光を受光部の方向に反射する基準部３４を、媒体の搬送領域３３外の位置で、かつ、媒体の画像情報を取得する読取面３２から搬送路に向かって突出する位置に配置する基準部配置部材３１と、を有する。【選択図】図４
2017194849.tif 000002
【特許請求の範囲】
【請求項１】
媒体が搬送される搬送路と、
前記媒体の画像情報を取得する光学センサ部と、を備え、
前記光学センサ部は、
光を照射する発光部と、
前記発光部から照射された光を受光する受光部と、
前記発光部から照射された光を前記受光部の方向に反射する基準部を、前記媒体の搬送領域外の位置で、かつ、前記媒体の画像情報を取得する読取面から前記搬送路に向かって突出する位置に配置する基準部配置部材と、を有する
ことを特徴とする媒体鑑別装置。
【請求項２】
請求項１に記載の媒体鑑別装置において、
前記基準部配置部材は、
前記読取面から前記搬送路に向かって突出する突出部を有し、
少なくとも前記突出部は、光を透過する材料で形成されており、
前記基準部は、前記突出部の先端に配置されている
ことを特徴とする媒体鑑別装置。
【請求項３】
請求項１又は請求項２に記載の媒体鑑別装置において、
さらに、前記搬送路を挟んで対向配置された複数対の搬送部材を備え、
前記基準部が配置されている位置は、各対の前記搬送部材同士が接触する接触位置と同程度の高さの位置である
ことを特徴とする媒体鑑別装置。
【請求項４】
請求項１乃至請求項３のいずれか一項に記載の媒体鑑別装置において、
前記光学センサ部は、前記基準部配置部材として、対向配置された第１部材と第２部材とを有しており、
前記第１部材は、前記第２部材の方向に突出するように形成された第１突出部を備え、
前記第２部材は、前記第１部材の方向に突出するように形成された第２突出部を備え、
前記第１部材と前記第２部材とは、前記第１突出部と前記第２突出部とで前記基準部を挟み込んでいる
ことを特徴とする媒体鑑別装置。
【請求項５】
請求項１乃至請求項４のいずれか一項に記載の媒体鑑別装置において、
前記基準部配置部材は、前記読取面を備える部材とは別の部材になっている
ことを特徴とする媒体鑑別装置。
【請求項６】
媒体が搬送される搬送路と、
前記媒体の画像情報を取得する光学センサ部と、
前記媒体を搬送する搬送機構と、を備え、
前記光学センサ部は、
光を照射する発光部と、
前記発光部から照射された光を受光する受光部と、
前記発光部から照射された光を前記受光部の方向に反射する基準部を、前記媒体の搬送領域外の位置で、かつ、前記媒体の画像情報を取得する読取面から前記搬送路に向かって突出された位置に配置する基準部配置部材と、を有する
ことを特徴とする媒体取扱装置。
【発明の詳細な説明】
【技術分野】
【０００１】
本発明は、媒体を鑑別する媒体鑑別装置、及び、当該媒体鑑別装置を搭載する媒体取扱装置に関する。
【背景技術】
【０００２】
従来から、媒体を鑑別する媒体鑑別装置を搭載する媒体取扱装置が様々な場所で使用されている。例えば、銀行や信用金庫、郵便局等の金融機関、ショッピングモールやスーパーマーケット、コンビニエンスストア等の流通機関には、媒体取扱装置として、顧客の操作に基づいて紙幣の入出金取引を自動的に行う現金自動預け払い機（ＡＴＭ）や、金種判別による紙幣の金種分類処理や汚損判別による紙幣の正常損傷分類処理を自動的に行う現金処理機が設置されている。媒体鑑別装置は、紙幣の鑑別部として媒体鑑別装置を用いている（例えば、特許文献１参照）。
【０００３】
媒体鑑別装置は、光学センサ部、厚みセンサ部（変位センサ）、磁気センサ部等の複数種類のセンサ部を備えている。媒体鑑別装置は、これらのセンサ部によって取得された各種の情報に基づいて、紙幣の金種や真贋を鑑別する。例えば、媒体鑑別装置は、光学センサ部として、反射光を受光する反射型の光学センサ（反射センサ）や透過光を受光する透過型の光学センサ（透過センサ）を備えており、これらのセンサによって得られた紙幣の画像情報に基づいて紙幣の金種や真贋を鑑別する。
【０００４】
その媒体鑑別装置では、製品出荷前に、各色（波長）で光学センサ部の出力値が適正な値になるように、光学センサ部の出力特性が調整されている。しかしながら、光学センサ部の出力特性は、外的要因（例えば、媒体鑑別装置の設置場所の環境）や経年劣化の影響により、媒体鑑別装置の製品出荷後に調整値から変動してしまうことがある。その変動は、色（波長）毎にばらついて発生する。したがって、光学センサ部は、製品出荷後に、色毎に製品出荷前の調整値とは異なる値を出力してしまうことがある。
【０００５】
そこで、媒体鑑別装置は、光学センサ部の出力特性が変動した場合であっても、光学センサ部の出力特性が元の状態（製品出荷前の調整値の状態）に戻るように、製品出荷後に、「基準板」と呼ばれる部材を用いて光学センサ部の出力特性の補正を行っている。ここで、「基準板」とは、光学センサ部の出力特性の補正用の指標を取得するための基準部として用いられる板状の部材である。
【０００６】
媒体鑑別装置は、基準板が光学センサ部に予め取り付けられており、製品出荷後に、基準板を用いて光学センサ部の出力特性の補正を行う。具体的には、媒体鑑別装置は、任意のタイミングで、光学センサ部の発光部から光を照射し、照射された光の一部を基準板で受光部の方向に反射させ、反射された光を受光部で受光し、受光量が所望の出力値になるように光源の発光量を調節して、光学センサ部の出力特性の補正を行う。
【０００７】
図１０及び図１１に従来の媒体鑑別装置の光学センサ部の構成の一例を示す。図１０は、従来の媒体鑑別装置の光学センサ部の反射センサとその周囲の概略的な構成を示す図である。図１１は、従来の媒体鑑別装置の光学センサ部の透過センサとその周囲の概略的な構成を示す図である。
【０００８】
図１０（ａ）〜図１０（ｃ）に示すように、従来の媒体鑑別装置の光学センサ部は、反射センサとその周囲において、例えば、以下の（ａ）〜（ｃ）のいずれかの構成になっていた。
【０００９】
構成（ａ）：図１０（ａ）に示すように、従来の媒体鑑別装置の光学センサ部２０２ａは、搬送路３の上方に上部ユニット２ａが配置され、搬送路３の下方に反射センサ２１１とコンタクトプレート２３１とが配置された構成になっている。反射センサ２１１は、内部に、発光部２１と、受光部２２と、を有している。そして、光学センサ部２０２ａは、コンタクトプレート２３１の外側面（搬送路３に臨む側の面）の主走査方向における媒体（紙幣）の搬送領域外の位置に、基準板３４が配置された構成になっている。ここで、「主走査方向」とは、図１０の紙面に対して媒体の搬送方向と垂直に交差する方向を意味している。
【００１０】
構成（ｂ）：図１０（ｂ）に示すように、従来の媒体鑑別装置の光学センサ部２０２ｂは、コンタクトプレート２３１の内側面（搬送路３から離れた側の面）の主走査方向における媒体（紙幣）の搬送領域外の位置に、基準板３４が配置された構成になっている。
【００１１】
構成（ｃ）：図１０（ｃ）に示すように、従来の媒体鑑別装置の光学センサ部２０２ｃは、上部ユニット２ａの下面（反射センサ２１１ｃとの対向面）の主走査方向の一部分（又は全部）に基準板３４が配置された構成になっている。
【００１２】
また、図１１（ａ）〜図１１（ｄ）に示すように、従来の媒体鑑別装置の光学センサ部は、透過センサとその周囲において、例えば、以下の（ａ）〜（ｄ）のいずれかの構成になっていた。
【００１３】
構成（ａ）：図１１（ａ）に示すように、従来の媒体鑑別装置の光学センサ部３０２ａは、搬送路３の上方に透過センサ３１２の発光部２１とコンタクトプレート３３１ａとが配置され、搬送路３の下方に透過センサ３１２の受光部２２とコンタクトプレート３３１ｂとが配置された構成になっている。そして、光学センサ部３０２ａは、受光部２２側のコンタクトプレート３３１ｂの外側面（搬送路３に臨む側の面）の主走査方向における媒体（紙幣）の搬送領域外の位置に、基準板３４が配置された構成になっている。
【００１４】
構成（ｂ）：図１１（ｂ）に示すように、従来の媒体鑑別装置の光学センサ部３０２ｂは、発光部２１側のコンタクトプレート３３１ａの外側面（搬送路３に臨む側の面）の主走査方向における媒体（紙幣）の搬送領域外の位置に、基準板３４が配置された構成になっている。
【００１５】
構成（ｃ）：図１１（ｃ）に示すように、従来の媒体鑑別装置の光学センサ部３０２ｃは、受光部２２側のコンタクトプレート３３１ｂの内側面（搬送路３から離れた側の面）の主走査方向における媒体（紙幣）の搬送領域外の位置に、基準板３４が配置された構成になっている。
【００１６】
構成（ｄ）：図１１（ｄ）に示すように、従来の媒体鑑別装置の光学センサ部３０２ｄは、発光部２１側のコンタクトプレート３３１ａの内側面（搬送路３から離れた側の面）の主走査方向における媒体（紙幣）の搬送領域外の位置に、基準板３４が配置された構成になっている。
【先行技術文献】
【特許文献】
【００１７】
【特許文献１】特開２０１５−０６９４２４号公報
【発明の概要】
【発明が解決しようとする課題】
【００１８】
しかしながら、従来の媒体鑑別装置は、以下に説明するように、光学センサ部の出力特性の補正精度を向上させることが望まれている、という課題があった。
【００１９】
媒体鑑別装置は、搬送路３（図１０及び図１１参照）の上下に対向配置された図示せぬ複数対の搬送部材（例えば、搬送ローラ）を備えており、各対の搬送部材（例えば、搬送ローラ）で媒体（紙幣）を挟持搬送する構成になっている。したがって、例えば図１０及び図１１に示すように、媒体（紙幣）の通過位置６は、搬送路３内における中間の高さの位置（具体的には、各対の搬送部材（例えば、搬送ローラ）同士が接触する接触位置と同じ高さの位置）になっている。
【００２０】
媒体（紙幣）の通過位置６は、光学センサ部の最も好適な光学特性を得ることができる位置である。しかしながら、従来の媒体鑑別装置では、基準板３４が媒体（紙幣）の通過位置６からずれた位置に配置されており、その基準板３４で反射された光に基づいて光学センサ部の出力特性の補正を行っている。そのため、従来の媒体鑑別装置では、たとえ製品出荷後に光学センサ部の出力特性の補正を行ったとしても、外的要因（例えば、媒体鑑別装置の設置場所の環境）や経年劣化の影響により、光学センサ部の出力特性が元の状態（製品出荷前の調整値の状態）に戻らずにずれ続けてしまう可能性があった。したがって、従来の媒体鑑別装置は、光学センサ部の出力特性の補正精度を向上させることが望まれていた。
【００２１】
本発明は、前記した課題を解決するためになされたものであり、光学センサ部の出力特性の補正精度を向上させた媒体鑑別装置、及び、当該媒体鑑別装置を搭載する媒体取扱装置を提供することを主な目的とする。
【課題を解決するための手段】
【００２２】
前記目的を達成するため、第１発明は、媒体鑑別装置であって、媒体が搬送される搬送路と、前記媒体の画像情報を取得する光学センサ部と、を備え、前記光学センサ部は、光を照射する発光部と、前記発光部から照射された光を受光する受光部と、前記発光部から照射された光を前記受光部の方向に反射する基準部を、前記媒体の搬送領域外の位置で、かつ、前記媒体の画像情報を取得する読取面から前記搬送路に向かって突出する位置に配置する基準部配置部材と、を有する構成とする。
【００２３】
この媒体鑑別装置は、基準部配置部材によって基準部を読取面から搬送路に向かって突出する位置に配置することができる。そのため、この媒体鑑別装置は、基準部を光学センサ部の最も好適な光学特性を得ることができる位置に配置することができる。これにより、この媒体鑑別装置は、光学センサ部の出力特性の補正精度を向上させることができる。
【００２４】
また、第２発明は、媒体取扱装置であって、媒体が搬送される搬送路と、前記媒体の画像情報を取得する光学センサ部と、前記媒体を搬送する搬送機構と、を備え、前記光学センサ部は、光を照射する発光部と、前記発光部から照射された光を受光する受光部と、前記発光部から照射された光を前記受光部の方向に反射する基準部を、前記媒体の搬送領域外の位置で、かつ、前記媒体の画像情報を取得する読取面から前記搬送路に向かって突出された位置に配置する基準部配置部材と、を有する構成とする。
【００２５】
この媒体取扱装置は、第１発明の媒体鑑別装置を備えているので、光学センサ部の出力特性の補正精度を向上させることができる。
【発明の効果】
【００２６】
本発明によれば、光学センサ部の出力特性の補正精度を向上させることができる。
【図面の簡単な説明】
【００２７】
【図１】実施形態１に係る媒体鑑別装置を搭載する媒体取扱装置の外部構成を示す図である。
【図２】実施形態１に係る媒体鑑別装置を搭載する媒体取扱装置の概略的な内部構成を示す図である。
【図３】実施形態１に係る媒体鑑別装置の概略的な内部構成を示す図である。
【図４】実施形態１に係る媒体鑑別装置の光学センサ部の概略的な内部構成を示す図（１）である。
【図５】実施形態１に係る媒体鑑別装置の光学センサ部の概略的な内部構成を示す図（２）である。
【図６】実施形態２に係る媒体鑑別装置の光学センサ部の概略的な内部構成を示す図である。
【図７】実施形態３に係る媒体鑑別装置の光学センサ部の概略的な内部構成を示す図である。
【図８】実施形態４に係る媒体鑑別装置の光学センサ部の概略的な内部構成を示す図である。
【図９】変形例に係る媒体鑑別装置の光学センサ部の概略的な構成を示す図である。
【図１０】従来の媒体鑑別装置の光学センサ部の反射センサとその周囲の概略的な構成を示す図である。
【図１１】従来の媒体鑑別装置の光学センサ部の透過センサとその周囲の概略的な構成を示す図である。
【発明を実施するための形態】
【００２８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２９】
［実施形態１］
＜媒体取扱装置の構成＞
以下、図１及び図２を参照して、媒体取扱装置１の構成につき説明する。媒体取扱装置１は、本実施形態１に係る媒体鑑別装置２（図２参照）を搭載する装置である。図１は、媒体取扱装置１の外部構成を示す図である。図２は、媒体取扱装置１の概略的な内部構成を示す図である。
【００３０】
ここでは、媒体が紙幣であり、また、媒体取扱装置１が現金自動預け払い機（ＡＴＭ）として構成されている場合を想定して説明する。以下、「媒体」を「紙幣」と称し、媒体取扱装置１を「現金自動預け払い機１」と称する。
【００３１】
図１に示すように、媒体取扱装置である現金自動預け払い機１は、箱状に形成された筐体１０２の前面１０２Ａ側に、接客部１０３を有している。接客部１０３は、顧客との間で現金や通帳等を授受したり、顧客からの操作を受け付けたりするための機構である。接客部１０３は、筐体１０２の前面１０２Ａの上部に設けられている。
【００３２】
接客部１０３は、硬貨入出金口１０４、紙幣入出金口１０５、通帳挿入口１０６、カード挿入口１０７、及び、表示操作部１０８を備えている。
【００３３】
硬貨入出金口１０４は、現金としての硬貨が投入又は排出される部位である。
紙幣入出金口１０５は、現金としての紙幣が投入又は排出される部位である。
硬貨入出金口１０４及び紙幣入出金口１０５は、それぞれ、開閉可能なシャッタによって、選択的に閉鎖又は開放される構成になっている。
【００３４】
通帳挿入口１０６は、通帳が挿入又は排出される部位である。通帳挿入口１０６の奥部には、取引内容等を通帳に記録する通帳処理部（図示せず）が配置されている。
カード挿入口１０７は、キャッシュカード等の各種カードが挿入又は排出される部位である。カード挿入口１０７の奧部には、カードに記録された口座番号等の情報の読み取りを行うカード処理部（図示せず）が配置されている。
【００３５】
表示操作部１０８は、情報を表示したり、顧客からの操作を受け付けたりする部位である。表示操作部１０８は、情報を表示するディスプレイと、取引の種類や暗証番号、取引金額等の取引情報を入力するタッチパネルとが一体化された構成になっている。
【００３６】
筐体１０２の前面１０２Ａ側や背面側の一部分の壁面は、開閉可能な扉によって構成されている。扉は、取引動作時に、閉鎖され、筐体１０２の内部に保有された紙幣や硬貨等の現金を保護する。一方、扉は、保守時に、開放され、筐体１０２の内部の各部に対する保守作業の実行を可能にする。
【００３７】
図２は、図１に示す矢印Ａの方向から見た、現金自動預け払い機１の内部の、主に紙幣の処理に関する部分の構成を示している。図２に示すように、現金自動預け払い機１は、内部に、制御部ＣＴ１、鑑別部２、搬送機構１１２、一時保留部１１４、及び、紙幣貯蔵部１１５を有している。
【００３８】
制御部ＣＴ１は、各部の動作を制御する機能手段である。
鑑別部２は、紙幣の金種や真偽を鑑別する構成要素である。鑑別部２は、本実施形態１に係る媒体鑑別装置によって構成されている。以下、鑑別部２を「媒体鑑別装置２」と称する場合がある。
搬送機構１１２は、搬送路に沿って各部に紙幣を搬送する構成要素である。搬送機構１１２は、図示せぬモータや、ギヤ、プーリ、ローラ等を備えている。ここでは、搬送機構１１２が紙幣の短辺方向を進行方向として搬送する場合を想定して説明する。なお、搬送機構１１２は、ローラの代わりに、又は、ローラに加えて、ベルトを備えた構成であってもよい。
一時保留部１１４は、入金された紙幣を一時的に保留する構成要素である。
紙幣貯蔵部１１５は、紙幣を金種別に貯蔵する構成要素である。紙幣貯蔵部１１５は、複数の紙幣収納庫１１６、及び、リジェクト庫１１７を備えている。紙幣収納庫１１６は、鑑別部２によって損傷していないと鑑別された紙幣を金種毎に収納する収納庫である。リジェクト庫１１７は、鑑別部２によって損傷していると鑑別された紙幣を金種毎に収納する収納庫である。
【００３９】
＜媒体鑑別装置（鑑別部）の構成＞
以下、図３を参照して、媒体鑑別装置２の構成につき説明する。図３は、媒体鑑別装置２の概略的な内部構成を示す図である。図３に示す例では、紙面の左右方向が紙幣の搬送方向になっており、また、紙面の上下方向が媒体鑑別装置２の上下方向になっている。ただし、媒体鑑別装置２は、図３に示す状態から右回り方向又は左回り方向に９０°回転させて倒立状態にして配置することができる。
【００４０】
図３に示すように、媒体鑑別装置２は、上部ユニット２ａと、下部ユニット２ｂと、紙幣が搬送される搬送路３と、複数の搬送ローラ４と、紙幣の画像情報を取得する光学センサ部１０と、を備えている。複数の搬送ローラ４は、搬送方向に沿って配置されており、その中のいくつかは搬送路３の上下に対向配置された複数組のローラ対を形成している。なお、媒体鑑別装置２は図示せぬ厚みセンサ部や図示せぬ磁気センサ部も備えている。しかしながら、これらのセンサ部は、本発明との関連性が低いため、説明を省略する。
【００４１】
搬送路３は、上部ユニット２ａと下部ユニット２ｂとの間に設けられている。
搬送ローラ４は、対向配置された搬送ローラ４同士で紙幣を挟持搬送する搬送部材である。なお、媒体鑑別装置２は、搬送ローラ４の代わりに、又は、搬送ローラ４とともに、様々な搬送部材（例えば搬送ベルト等）を用いた構成であってもよい。
光学センサ部１０は、反射センサ１１と、透過センサ１２と、を有している。反射センサ１１は、反射光を受光する反射型の光学センサである。透過センサ１２は、透過光を受光する透過型の光学センサである。
【００４２】
＜光学センサ部の構成＞
以下、図４及び図５を参照して、光学センサ部１０の構成につき説明する。本実施形態１では、光学センサ部１０の反射センサ１１と透過センサ１２とのうち、反射センサ１１及びその周囲の構成について説明する。
【００４３】
図４及び図５は、それぞれ、光学センサ部１０の反射センサ１１の概略的な内部構成を示す図である。図４は、正面側から見た反射センサ１１の構成を示している。図５（ａ）は、側面側から見た反射センサ１１の構成を示す図であり、図４に示す線Ｘ１−Ｘ１に沿って切断した反射センサ１１の切断面の構成を示している。また、図５（ｂ）は、図５（ａ）に示す領域Ｒ１の構成を拡大して示している。なお、図４に示す例では、紙面の左右方向が光学センサ部１０の主走査方向になっており、紙面の上下方向が媒体鑑別装置２の上下方向になっている。また、図５に示す例では、紙面の左右方向が紙幣の搬送方向になっており、紙面の上下方向が媒体鑑別装置２の上下方向になっている。
【００４４】
図４及び図５に示す例では、光学センサ部１０の反射センサ１１は、搬送路３の下方に配置されており、発光部２１と、受光部２２と、コンタクトプレート３１と、を有している。
発光部２１は、光（図５（ａ）に示す矢印参照）を照射する構成要素である。
受光部２２は、発光部２１から照射された光を受光する構成要素である。
コンタクトプレート３１は、基準板３４を受光部２２の上方の所定の位置に配置する基準部配置部材である。
【００４５】
ここで、「基準板３４」とは、光学センサ部１０の出力特性の補正用の指標を取得するための基準部として用いられる板状の部材である。基準板３４は、特定の厚みや、色の濃度（明度）、その濃度（明度）の均一性を有している。基準板３４は、発光部２１から照射された光を受光部２２の方向に反射させ、反射された光を受光部２２に受光させる。
【００４６】
基準板３４は、プラスチック材（ビニール材を含む）や紙材等の材料で構成されている。基準板３４の材料は、運用に応じて任意の反射率のものを用いることができ、例えば、白色系等の明度の高い色のものを用いることができる。基準板３４は、片面又は両面に接着剤（粘着剤を含む）が塗布されたシール材となっていてもよい。
【００４７】
また、前記した「所定の位置」とは、光学センサ部１０の主走査方向における紙幣の搬送領域３３（図４参照）の外の位置で、かつ、紙幣の画像情報を取得する読取面３２から搬送路３に向かって突出する位置である。なお、「読取面３２」は、紙幣の画像情報を取得するために搬送路３の周囲に形成された平坦面である。読取面３２は、搬送が想定される最大の紙幣の主走査方向の全域をカバーすることができるように、その最大の紙幣の主走査方向の幅よりも広い幅を有している。
【００４８】
図４に示すように、発光部２１と受光部２２は、光学センサ部１０の主走査方向に延在するように配置されている。発光部２１は、光学センサ部１０の主走査方向の端部に配置された光源（又は光源群）２１ａと、光学センサ部１０の主走査方向の略全域に亘って配置された導光体２１ｂと、を備えている。光源２１ａは、例えば、１乃至複数の波長をピークに持つＬＥＤによって構成することができる。図４に示す例では、光源２１ａは、主走査方向の片側の端部にのみ配置されている。しかしながら、光源２１ａは、主走査方向の両側の端部に配置されていてもよい。発光部２１は、光源２１ａから照射された光を導光体２１ｂで主走査方向に導いて搬送路３の方向に照射する。導光体２１ｂから照射された光は、コンタクトプレート３１を通って基準板３４に到達する。
【００４９】
コンタクトプレート３１は、好ましくは、摩擦抵抗が小さく、摩耗もし難く、さらに、帯電もし難いガラスで構成されているとよい。本実施形態１では、コンタクトプレート３１がガラスで構成されているものとして説明する。
【００５０】
コンタクトプレート３１は、主走査方向の片側の端部に、読取面３２から搬送路３に向かって突出する突出部３６を有している。ただし、突出部３６は、コンタクトプレート３１の主走査方向の両側の端部に形成されていてもよい。コンタクトプレート３１の少なくとも読取面３２と突出部３６とは、光を透過する材料で形成されている。基準板３４は、突出部３６の先端に配置されている。突出部３６の先端の主走査方向の幅及び紙幣の搬送方向の幅は、基準板３４の主走査方向の幅及び紙幣の搬送方向の幅よりも広くなっている。
【００５１】
基準板３４が配置されている位置は、各対の搬送部材（ここでは、搬送ローラ４）同士が接触する接触位置と同程度の高さの位置である。ここで、「接触位置」とは、紙幣の通過位置６と同じ高さの位置であり、光学センサ部１０の最も好適な光学特性を得ることができる位置である。基準板３４は、前記した「接触位置と同程度の高さの位置」に延在するように配置されている。換言すれば、突出部３６の先端は、前記した「接触位置と同程度の高さの位置」に延在するように配置されている。前記した「接触位置と同程度の高さの位置」としては、実験によれば、接触位置（紙幣の通過位置６）に対して±０．２ｍｍ程度の高さの位置にすると、光学センサ１０部の出力特性の補正精度の向上にとって好ましい結果を得ることができた。
【００５２】
図５（ｂ）に示すように、光学センサ部１０は、基準板３４の上（外側）に、光を遮るための遮光媒体３５を備えている。基準板３４及び遮光媒体３５は、例えば搬送媒体である紙幣と同程度の薄いものである。基準板３４及び遮光媒体３５は、矩形の形状を呈している。遮光媒体３５の主走査方向の幅及び紙幣の搬送方向の幅は、基準板３４の主走査方向の幅及び紙幣の搬送方向の幅以上の広さになっている。
【００５３】
かかる構成において、媒体鑑別装置２は、製品出荷後に、紙幣搬送時以外の任意のタイミングで、光学センサ部１０の発光部２１から光を照射し、照射された光の一部を基準板３４で受光部２２の方向に反射させ、反射された光を受光部２２で受光し、各色（波長）で受光量が製品出荷前の調整値になるように光源２１ａの発光量を調節して、光学センサ部１０の出力特性の補正を行う。
【００５４】
媒体鑑別装置２は、コンタクトプレート３１によって基準板３４を読取面３２から搬送路３に向かって突出する位置に配置することができる。そのため、媒体鑑別装置２は、基準板３４を光学センサ部１０の最も好適な光学特性を得ることができる位置である紙幣の通過位置６に配置することができる。これにより、媒体鑑別装置２は、光学センサ部１０の出力特性の補正精度を向上させることができる。
【００５５】
なお、読取面３２のガラスの厚さと基準板３４が配置されている突出部３６のガラスの厚さは、好ましくは、同程度であるとよい。例えば、図４に示す例では、双方の厚さが同じ値ｔ１となっている。これにより、光学センサ部１０は、読取面３２と突出部３６とで光の屈折率を同程度にして、光学センサ部１０の出力特性の補正精度をさらに向上させることができる。
【００５６】
また、光学センサ部１０は、基準板３４を透過した光が上部ユニット２ａの下面（反射センサ１１との対向面）で反射することによる影響を遮光媒体３５で防止することができる。そのため、光学センサ部１０は、光学センサ部１０の出力特性の補正用の指標を高い精度で取得することができる。
【００５７】
＜媒体鑑別装置の主な特徴＞
以下に、本実施形態１に係る媒体鑑別装置２の主な特徴につき説明する。
（１）媒体鑑別装置２の光学センサ部１０は、コンタクトプレート３１の一部分が突出部３６として凸状に盛り上がった構成になっており、その突出部３６の先端に基準板３４と遮光媒体３５とを実装した構成になっている。これにより、基準板３４は、搬送路３内における紙幣の通過位置６と同程度の高さの位置に実装されている。つまり、光学センサ部１０は、基準部（基準板３４）の実装面が凸状に隆起した構造を持ち、被写界深度特性や照明深度特性等の光学特性の良い位置に基準部（基準板３４）を配置することができる。そのため、媒体鑑別装置２は、光学センサ部１０の出力特性の補正精度を向上させることができる。
【００５８】
（２）光学センサ部１０は、読取面３２のガラスの厚さと基準板３４が配置されている突出部３６のガラスの厚さとを同じ厚さｔ１にすることにより、読取面３２と突出部３６とで光の屈折率を同程度にして、光学センサ部１０の出力特性の補正精度をさらに向上させることができる。
【００５９】
（３）コンタクトプレート３１は、主走査方向の片側の端部（又は両側の端部）に、突出部３６を有している。このようなコンタクトプレート３１は、紙幣の搬送を妨げることなく、基準板３４を好適な位置に配置することができる。
【００６０】
以上の通り、本実施形態１に係る媒体鑑別装置２によれば、光学センサ部１０の出力特性の補正精度を向上させることができる。
【００６１】
［実施形態２］
実施形態１に係る媒体鑑別装置２の光学センサ部１０は、１つの反射センサ１１が搬送路３の下方に配置された構成になっている。これに対し、本実施形態２では、２つの反射センサ１１ａ，１１ｂが搬送路３の上方と下方とに対向配置された光学センサ部１０Ａを備える媒体鑑別装置２Ａを提供する。
【００６２】
以下、図６を参照して、本実施形態２に係る光学センサ部１０Ａを備える媒体鑑別装置２Ａの構成につき説明する。図６は、媒体鑑別装置２Ａの光学センサ部１０Ａの概略的な内部構成を示す図である。
【００６３】
図６に示すように、本実施形態２に係る光学センサ部１０Ａは、２つの反射センサ１１ａ，１１ｂが搬送路３の上方と下方とに対向配置された構成になっている。光学センサ部１０Ａの２つの反射センサ１１ａ，１１ｂは、それぞれ、実施形態１に係る光学センサ部１０の反射センサ１１（図５参照）と同様の構成になっている。
【００６４】
光学センサ部１０Ａは、２つのコンタクトプレート３１ａとコンタクトプレート３１ｂとを有している。コンタクトプレート３１ａとコンタクトプレート３１ｂとは、基準部配置部材として、搬送路３の上方と下方とに対向配置された第１部材と第２部材である。
【００６５】
コンタクトプレート３１ａは、コンタクトプレート３１ｂの方向に突出するように形成された第１突出部３６ａを備えている。また、コンタクトプレート３１ｂは、コンタクトプレート３１ａの方向に突出するように形成された第２突出部３６ｂを備えている。
【００６６】
コンタクトプレート３１ａとコンタクトプレート３１ｂとは、第１突出部３６ａと第２突出部３６ｂとで基準部３４を挟み込んでいる。つまり、コンタクトプレート３１ａとコンタクトプレート３１ｂとは、互いに接触する（又は、接触しそうな状態になっている）接触部に基準部３４を配置している。
【００６７】
換言すると、光学センサ部１０Ａは、２つのコンタクトプレート３１ａ，３１ｂの一部分が突出部３６ａ，３６ｂとして凸状に盛り上がった構成になっており、これらの突出部３６，３６ｂの先端の間に基準板３４を実装した構成になっている。
【００６８】
このような光学センサ部１０Ａは、２つのコンタクトプレート３１ａ，３１ｂで、基準板３４を、搬送路３内における紙幣の通過位置６（図５参照）と同程度の高さの位置に実装することができる。これにより、光学センサ部１０Ａは、被写界深度特性や照明深度特性等の光学特性の良い位置に基準板３４を配置することができる。そのため、媒体鑑別装置２Ａは、実施形態１に係る媒体鑑別装置２と同様に、光学センサ部１０Ａの出力特性の補正精度を向上させることができる。
【００６９】
なお、光学センサ部１０Ａは、実施形態１に係る光学センサ部１０（図５参照）と異なり、２つの反射センサ１１ａ，１１ｂが対向配置された構成になっている。このような光学センサ部１０Ａでは、基準板３４を透過した光が上部ユニット２ａの下面（反射センサ１１との対向面）で反射することがない。そのため、光学センサ部１０Ａは、遮光媒体３５（図５（ｂ）参照）を排除した構成にすることができる。
【００７０】
以上の通り、本実施形態２に係る媒体鑑別装置２Ａによれば、２つの反射センサ１１ａ，１１ｂが対向配置された光学センサ部１０Ａの出力特性の補正精度を向上させることができる。
【００７１】
［実施形態３］
実施形態２に係る媒体鑑別装置２Ａは、２つの反射センサ１１ａ，１１ｂが搬送路３の上方と下方とに対向配置された光学センサ部１０Ａを備える構成になっている。これに対し、本実施形態３では、透過センサ１２の発光側ユニット１２ａと受光側ユニット１２ｂとが搬送路３の上方と下方とに対向配置された光学センサ部１０Ｂを備える媒体鑑別装置２Ｂを提供する。
【００７２】
以下、図７を参照して、本実施形態３に係る光学センサ部１０Ｂを備える媒体鑑別装置２Ｂの構成につき説明する。図７は、媒体鑑別装置２Ｂの光学センサ部１０Ｂの概略的な内部構成を示す図である。
【００７３】
図７に示すように、本実施形態３に係る光学センサ部１０Ｂは、透過センサ１２の発光側ユニット１２ａと受光側ユニット１２ｂとが搬送路３の上方と下方とに対向配置された構成になっている。光学センサ部１０Ｂの発光側ユニット１２ａは、内部に、発光部２１を有している。一方、光学センサ部１０Ｂの受光側ユニット１２ｂは、内部に、受光部２２を有している。発光部２１と受光部２２とは、上下方向に並べて配置されており、発光部２１から照射された光を受光部２２で受光する構成になっている。
【００７４】
光学センサ部１０Ｂは、２つのコンタクトプレート３１ｃとコンタクトプレート３１ｄとを有している。コンタクトプレート３１ｃとコンタクトプレート３１ｄとは、基準部配置部材として、搬送路３の上方と下方とに対向配置された第１部材と第２部材である。
【００７５】
コンタクトプレート３１ｃは、コンタクトプレート３１ｄの方向に突出するように形成された第１突出部３６ａを備えている。また、コンタクトプレート３１ｄは、コンタクトプレート３１ｃの方向に突出するように形成された第２突出部３６ｂを備えている。コンタクトプレート３１ｃとコンタクトプレート３１ｄとは、第１突出部３６ａと第２突出部３６ｂとで基準部３４を挟み込んでいる。
【００７６】
このような光学センサ部１０Ｂは、２つのコンタクトプレート３１ｃ，３１ｄで、基準板３４を、搬送路３内における紙幣の通過位置６（図５参照）と同程度の高さの位置に実装することができる。したがって、媒体鑑別装置２Ｂは、他の実施形態に係る媒体鑑別装置２，２Ａと同様に、光学センサ部１０Ｂの出力特性の補正精度を向上させることができる。
【００７７】
以上の通り、本実施形態３に係る媒体鑑別装置２Ｂによれば、透過センサ１２の発光側ユニット１２ａと受光側ユニット１２ｂとが対向配置された光学センサ部１０Ｂの出力特性の補正精度を向上させることができる。
【００７８】
［実施形態４］
実施形態３に係る媒体鑑別装置２Ｂは、透過センサ１２の発光側ユニット１２ａと受光側ユニット１２ｂとが対向配置された光学センサ部１０Ｂを備える構成になっている。これに対し、本実施形態４では、透過センサ１２の発光側ユニット１２ａと反射センサ１１ｂとを備え、反射センサ１１ｂの受光部２２を透過センサ１２の受光部としても兼用して使用する構成になっている光学センサ部１０Ｃを備える媒体鑑別装置２Ｃを提供する。
【００７９】
以下、図８を参照して、本実施形態４に係る光学センサ部１０Ｃを備える媒体鑑別装置２Ｃの構成につき説明する。図８は、媒体鑑別装置２Ｃの光学センサ部１０Ｃの概略的な内部構成を示す図である。
【００８０】
図８に示すように、本実施形態４に係る光学センサ部１０Ｃは、透過センサ１２の発光側ユニット１２ａが搬送路３の上方に配置され、反射センサ１１ｂが搬送路３の下方に配置された構成になっている。光学センサ部１０Ｃの発光側ユニット１２ａは、内部に、発光部２１を有している。一方、反射センサ１１ｂは、内部に、発光部２１と、受光部２２とを有している。受光部２２は、発光側ユニット１２ａ内に設けられた発光部２１から照射される光と、反射センサ１１ｂ内に設けられた発光部２１から照射される光とを受光する構成になっている。
【００８１】
光学センサ部１０Ｃは、２つのコンタクトプレート３１ｃとコンタクトプレート３１ｂとを有している。コンタクトプレート３１ｃとコンタクトプレート３１ｂとは、基準部配置部材として、搬送路３の上方と下方とに対向配置された第１部材と第２部材である。
【００８２】
コンタクトプレート３１ｃは、コンタクトプレート３１ｂの方向に突出するように形成された第１突出部３６ａを備えている。また、コンタクトプレート３１ｂは、コンタクトプレート３１ｃの方向に突出するように形成された第２突出部３６ｂを備えている。コンタクトプレート３１ｃとコンタクトプレート３１ｂとは、第１突出部３６ａと第２突出部３６ｂとで基準部３４を挟み込んでいる。
【００８３】
このような光学センサ部１０Ｃは、２つのコンタクトプレート３１ｃ，３１ｂで、基準板３４を、搬送路３内における紙幣の通過位置６（図５参照）と同程度の高さの位置に実装することができる。したがって、媒体鑑別装置２Ｃは、他の実施形態に係る媒体鑑別装置２，２Ａ，２Ｂと同様に、光学センサ部１０Ｃの出力特性の補正精度を向上させることができる。
【００８４】
以上の通り、本実施形態４に係る媒体鑑別装置２Ｃによれば、反射センサ１１ｂの受光部２２を透過センサ１２の受光部としても兼用して使用する構成になっている光学センサ部１０Ｃの出力特性の補正精度を向上させることができる。
【００８５】
なお、本発明は、前記した実施形態に限定されるものではなく、本発明の要旨を逸脱しない範囲で種々の変更や変形を行うことができる。
【００８６】
例えば、前記した実施形態は、本発明の要旨を分かり易く説明するために詳細に説明したものである。そのため、本発明は、必ずしも説明した全ての構成を備えるものに限定されるものではない。また、本発明は、実施形態の構成の一部に他の構成を追加したり、実施形態の構成の一部を他の構成に置き換えたりすることができる。また、本発明は、実施形態の構成の一部を削除することができる。
【００８７】
また、例えば、本発明は、媒体を搬送する機能と媒体を鑑別する機能とを有する媒体取扱装置であれば、現金自動預け払い機（ＡＴＭ）だけでなく、金融機関や流通機関で用いられている現金処理機や、交通機関や流通機関で用いられている発券機、その他の媒体取扱装置に利用することができる。
【００８８】
また、前記した各実施形態の媒体鑑別装置２，２Ａ，２Ｂ，２Ｃの光学センサ部１０，１０Ａ，１０Ｂ，１０Ｃは、例えば、図９に示す媒体鑑別装置２Ｄの光学センサ部１０Ｄのように変形することができる。図９は、変形例に係る媒体鑑別装置２Ｄの光学センサ部１０Ｄの概略的な構成を示す図である。
図９に示すように、媒体鑑別装置２Ｄの光学センサ部１０Ｄは、下部ユニット２ａ側のガラス面（読取面）３２の周囲に、樹脂等で成形された搬送ガイド４１を有する構造になっている。搬送ガイド４１の上面は、媒体の搬送をガイドするガイド面４１ａとなっており、搬送ガイド４１のガイド面４１ａとガラス面３２とは、面一な構造になっている。
また、搬送ガイド４１は光学センサ部１０Ｄの主走査方向における紙幣の搬送領域３３の外の位置で、その一部を搬送路３に向かって突出させ、基準部配置部材３１ｚとして機能する突出部３６が形成されている。すなわち、変形例では、搬送ガイド４１と突出部３６とが一体に形成されている。
ガラス面３２は、突出部３６の下方まで延びている。すなわち、搬送領域３３の外まで延びたガラス面３２の一部の上方を覆う形で、突出部３６が形成されている。
突出部３６の先端には開口が形成されており、その開口を塞ぐように基準板（基準部）３４が設けられている。また、光学センサ部１０Ｄは、ガラス面３２から突出部３６に設けられた基準板（基準部）３４までの間には空間が形成されている。そのため、読取面３２と突出部３６とで光の屈折率が同程度となるような構造になっている。
このような媒体鑑別装置２Ｄの光学センサ部１０Ｄは、前記した各実施形態の媒体鑑別装置２，２Ａ，２Ｂ，２Ｃの光学センサ部１０，１０Ａ，１０Ｂ，１０Ｃと同様の作用効果を得ることができる。
【００８９】
また、前記した各実施形態の媒体鑑別装置２，２Ａ，２Ｂ，２Ｃの光学センサ部１０，１０Ａ，１０Ｂ，１０Ｃは、例えば、基準部配置部材（コンタクトプレート３４）が読取面３２を備える部材とは別の部材になっている構造にすることもできる。
【符号の説明】
【００９０】
１    現金自動預け払い機（媒体取扱装置）
２，２Ａ，２Ｂ，２Ｃ，２Ｄ    鑑別部（媒体鑑別装置）
２ａ    上部ユニット
２ｂ    下部ユニット
３    搬送路
４    搬送ローラ（搬送部材）
５    接触位置
６    通過位置
１０，１０Ａ，１０Ｂ，１０Ｃ，１０Ｄ    光学センサ部
１１（１１ａ，１１ｂ）    反射センサ
１２    透過センサ
１２ａ    発光側ユニット
１２ｂ    受光側ユニット
２１    発光部
２１ａ    光源
２１ｂ    導光体
２２    受光部
３１（３１ａ，３１ｂ，３１ｃ，３１ｄ）    コンタクトプレート（基準部配置部材）
３１ｚ    基準部配置部材
３２    ガラス面（読取面）
３３    搬送領域
３４    基準板（基準部）
３５    遮光媒体
３６    突出部
３６ａ    第１突出部
３６ｂ    第２突出部
４１    搬送ガイド
４１ａ    ガイド面（搬送ガイドの上面）
１０２    筺体
１０２Ａ    前面
１０３    接客部
１０４    硬貨入出金口
１０５    紙幣入出金口
１０６    通帳挿入口
１０７    カード挿入口
１０８    表示操作部
１１２    搬送機構
１１４    一時保留部
１１５    紙幣貯蔵部
１１６    紙幣収納庫
１１７    リジェクト庫
ＣＴ１    制御部
ｔ１    厚さ
【図１】
2017194849.tif 000003
【図２】
2017194849.tif 000004
【図３】
2017194849.tif 000005
【図４】
2017194849.tif 000006
【図５】
2017194849.tif 000007
【図６】
2017194849.tif 000008
【図７】
2017194849.tif 000009
【図８】
2017194849.tif 000010
【図９】
2017194849.tif 000011
【図１０】
2017194849.tif 000012
【図１１】
2017194849.tif 000013